(57)【要約】本発明は、撚り合わされた合成繊維撚り糸を備え、力を受けるために長手方向に構成された少なくとも２本の繊維ストランド４１を含むベルト４３に関する。ストランド４１は、ベルト４３の長手方向に沿って互いにある距離を置いて配置され、かつベルトコーティング４５内に埋め込まれる。ストランド４１のうちの少なくとも一つは、ストランド４１の合成繊維撚り糸と共に撚り合わされ、繊維束４１の中心の外側に配置される導電性のインジケータ撚り糸４４を含む。インジケータ撚り糸４４は、ストランド４１の個別の合成繊維撚り糸の破断伸びεｕｌｔ，Ｔｒａｇより小さい破断伸びεｕｌｔ，Ｉｎｄを有し、その完全性を電気的に監視するために接触させられ得る。
2006508004.tif 000002
【特許請求の範囲】
【請求項１】
少なくとも二つのストランド（１２、２１、３１、４１、５１、６１）を有するベルト（３、１３、２３、３３、４３、５３、６３）であって、前記少なくとも二つのストランドが、互いに撚り合わされた合成繊維糸を含んでおり、かつ長手方向（１６）の力の受容のために構成され、糸（１２、２１、３１、４１、５１、６１）が、ベルト（３、１３、２３、３３、４３、５３、６３）の長手方向（６６）に沿って互いに間隔（Ｘ）を置いて配置され、かつベルトケーシング（１５、２５、３５、４５、５５、６５）内に埋め込まれており、ストランド（１２、２１、３１、４１、５１、６１）のうちの少なくとも一つが、ストランド（１２、２１、３１、４１、５１、６１）の合成繊維糸と共に撚り合わされた導電性インジケータ糸（１４、２４、３４、４４）を含んでおり、インジケータ糸（１４、２４、３４、４４）が、
ストランド（１２、２１、３１、４１、５１、６１）の個別の合成繊維糸の破断伸び（εｕｌｔ，Ｔｒａｇ）より小さい破断伸び（εｕｌｔ，Ｉｎｄ）を有しており、
インジケータ糸（１４、２４、３４、４４）の完全性の電気的監視を可能にするように電気的に接触させられ得ることを特徴とする、ベルト（３、１３、２３、３３、４３、５３、６３）。
【請求項２】
インジケータ糸（１４、２４、３４、４４）が、ストランド（１２、２１、３１、４１、５１、６１）の合成繊維糸よりも脆弱であって、ストランド（１２、２１、３１、４１、５１、６１）の合成繊維糸よりも弾力性に乏しいことを特徴とする、請求項１に記載のベルト（３、１３、２３、３３、４３、５３、６３）。
【請求項３】
荷重下でのインジケータ糸（１４、２４、３４、４４）の最大有効伸びが、ストランド（１２、２１、３１、４１、５１、６１）の個別の合成繊維糸の破断伸び（εｕｌｔ，Ｔｒａｇ）より小さいことを特徴とする、請求項１または２に記載のベルト（３、１３、２３、３３、４３、５３、６３）。
【請求項４】
ベルト（３、１３、２３、３３、４３、５３、６３）が、１００ｍｍより小さい、好ましくは５０ｍｍより小さい半径を有するプーリ（１１）の周りを少なくとも部分的に走行する目的のために構成されていることを特徴とする、請求項１または２に記載のベルト（３、１３、２３、３３、４３、５３、６３）。
【請求項５】
インジケータ糸（１４、２４、３４、４４）が、ベルトの一端または両端に固定され得る接触手段によって電気的に接触させられ得ることを特徴とする、請求項１、２、または３に記載のベルト（３、１３、２３、３３、４３、５３、６３）。
【請求項６】
ベルト（３、１３、２３、３３、４３、５３、６３）が、平ベルト、ポリＶベルト、Ｖリブドベルト、または（台形）コグドベルトであることを特徴とする、請求項１から５のいずれか一項に記載のベルト（３、１３、２３、３３、４３、５３、６３）。
【請求項７】
ベルト（３、１３、２３、３３、４３、５３、６３）が、支持手段または駆動手段としてエレベータ設備内での使用のために構成されていることを特徴とする、請求項１から６のいずれか一項に記載のベルト（３、１３、２３、３３、４３、５３、６３）。
【請求項８】
インジケータ糸（１４、２４、３４、４４）が、ストランド（１２、２１、３１、４１、５１、６１）の中心から外側に配置されることを特徴とする、請求項１から７のいずれか一項に記載のベルト（３、１３、２３、３３、４３、５３、６３）。
【発明の詳細な説明】
【技術分野】
【０００１】
本発明は、間隔を置いて伸び、またベルトケーシング内に埋め込まれた、数本の合成繊維ストランドを有するベルトに関する。この種類のベルトは、エレベータ設備における支持手段または駆動手段としての使用に特に適している。
【背景技術】
【０００２】
走行ケーブルは、運搬技術において、特にエレベータ、クレーン構造、および採鉱において重要な、強く荷重される機械的要素である。例えばエレベータ構造において使用されるような駆動ケーブルの荷重は、特に重層的である。
【０００３】
従来のエレベータ設備の場合、エレベータ昇降路内でガイドされるケージのケージフレームと釣合い重りは、数本の鋼の撚りケーブルを介して互いに連結される。ケージと釣合い重りとを上昇および下降させるために、これらのケーブルは、駆動モータによって駆動される駆動プーリの上を走行する。駆動モーメントは、摩擦連結下で、ループ角に亘って駆動プーリに接触するそれぞれのケーブル部分に課せられる。この場合、ケーブルは、引っ張り応力、曲げ応力、圧縮応力、およびねじり応力を受ける。状況によっては、発生する応力は、ケーブルの状態にマイナスの影響を及ぼす。鋼の撚りケーブルの通常丸い断面のために、このケーブルは、プーリの周りを走行する際にねじれることがあり、それによって曲がる際にもっとも多様な方向に荷重される。
【０００４】
強度に対する要求は別として、エレベータ設備の場合には、エネルギーの理由から、可能な最小質量の要件も存在する。例えば強く配向された分子連鎖を有する芳香族ポリアミド、特にアラミドの高強度合成繊維ケーブルは、鋼ケーブルよりも良くこれらの要件を満たす。
【０００５】
アラミド繊維で作られたケーブルは、通常の鋼ケーブルと比較して、同じ断面積と同じ荷重保持容量に関して比ケーブル重量のほんの１／４から１／５を有するだけである。しかしながら鋼と対比してアラミド繊維は、分子連鎖の整列のゆえに、長手方向の荷重保持容量に対して実質的に、より低い横断方向強度を有する。
【０００６】
更にアラミド繊維で作られたこれらのケーブルは、ケーブルの疲労または破断に至る可能性がある捩じり現象および曲げ荷重を受ける。
【０００７】
最も多様なケーブルは別として、工業的に使用されるベルトも存在する。ベルトは主として、自動車工業によって例えばＶベルトとして、あるいは機械工業によって使用される。荷重の程度によってこの種のベルトは、鋼で強化される。この場合、これらのベルトは、通常、エンドレスベルトである。エンドレスベルトの監視は、比較的高価であって、費用の理由から自動車部門では使用に至らない。したがって自動車産業は、ベルトが破損の危険を冒す前にベルトが交換されることを保証するために、使用されるベルトに運用寿命限度を与えるという方針に従ってきた。このような運用寿命限度は、必要な調査がここで行われ得るという理由で大きなバッチ回数の場合と、交換が簡単であるベルトの場合にだけ適している。
【０００８】
コグドベルトが使用されるエレベータ設備は、例えば本発明と同じ出願人の「支持手段および／または駆動手段として、特にＶリブドベルトを備えるベルト状の伝動手段を有するエレベータ（Ｌｉｆｔ  ｗｉｔｈ  ｂｅｌｔ−ｌｉｋｅ  ｔｒａｎｓｍｉｓｓｉｏｎ  ｍｅａｎｓ，  ｐａｒｔｉｃｕｌａｒｌｙ  ｗｉｔｈ  ａ  Ｖ−ｒｉｂｂｅｄ  ｂｅｌｔ，  ａｓ  ｓｕｐｐｏｒｔ  ｍｅａｎｓ  ａｎｄ／ｏｒ  ｄｒｉｖｅ  ｍｅａｎｓ）」と題する特許出願に既に記載されている。コグドベルトは、例えば駆動プーリと同期して巡回する機械的に確動的で滑りのない伝動手段である。コグドベルトの歯の荷重保持容量と係合に配される歯の数は、荷重運搬容量を決定する。
【０００９】
完全に十分で特に信頼できる支持手段または駆動手段として使用可能なベルトを作り出すために、ベルトの疲労現象と、特に破断の始まりの危険とが、認識可能であることが保証されなくてはならない可能性がある。
【００１０】
例えば自動車産業によって規定されているような運用寿命制限は、エレベータ用の支持ベルトまたは駆動手段として使用される筈のベルトの場合には、より適当でない。
【００１１】
鋼ケーブルの場合に十分であることが判明している光学的監視といった他の監視手段は、ベルトのストランドが、ベルトケーシング内に埋め込まれていて目に見えないので、ベルトの場合には使用できない。更にＸ線監視または超音波監視といった監視方法は、ベルトがエレベータシステムで使用されるときには不経済である。
【発明の開示】
【発明が解決しようとする課題】
【００１２】
本発明は、ベルトの状態が監視できるベルトを提供するという目的を追求する。特に、監視手段を有し、中でもエレベータ設備用の支持手段または駆動手段として使用可能であるベルトを提供することが、本発明の目的である。
【課題を解決するための手段】
【００１３】
本発明によればこの目的は、特許請求項１に示された特徴を有するベルトによって達成される。従属請求項は、請求項１の特徴によって規定された本発明の適切で有利な発展および／または実施形態を含む。
【００１４】
本発明は、図面に示された実施形態の例に基づいて下記に詳細に説明される。
【００１５】
同様の構造要素または同様の仕方で機能する構造要素は、これらが細部に対して同じ仕方で実現されなくても、全ての図で同じ参照符号を与えられている。これらの図は、縮尺的に実際どおりではない。
【発明を実施するための最良の形態】
【００１６】
図１によれば、昇降路１内でガイドされるケージは、本発明による支持ベルト３（サポートベルト）で吊り下げられ、この支持ベルト３は、好ましくはアラミド繊維の繊維束を含み、かつ駆動モータ４に連結された駆動プーリ５の上を走行する。支持ベルト３が一端で固定されているベルト端連結部６は、ケージ２に配置される。支持ベルト３のそれぞれの他端は、昇降路１内で同様にガイドされる釣合い重り７に同様の仕方で固定される。図示の構成は、例えば２：１サスペンションを有する場合のように、他の複数のプーリ上で偏向される必要なしに、ベルトが単一の駆動プーリ５の周りを走行するだけなので、本発明による支持ベルト３が単に一方向に湾曲するということによって区別される、いわゆる１：１サスペンションである。
【００１７】
合成材料ストランドを有する支持ベルトの比較的軽い重量は、エレベータ設備の場合には、通常の補正ベルトを部分的または完全に不要とすることができるという利点をもたらす。
【００１８】
しかしながらある幾つかの状況では、軽い合成材料ストランドを有するベルトの使用にもかかわらず、補正ベルトが設けられることもあり得る。それからこのような補正ベルトは、その第１の端部によって同様の仕方でケージ２の下端に連結され、そこから補正ベルトは、例えば昇降路の床１０に配置された偏向ローラを経由して釣合い重り７に至る。
【００１９】
ベルトが使用されるシステムの安全度を増加させるために、監視システムが設けられるべきである。調査は、ベルトケーシングの監視は、信頼できる結果を伝えないことを示している。ベルトに長手方向の強度を与え得るストランドの破断または疲労は、おそらく、ベルトケーシングだけの監視の場合には、気づかれないまま、ベルトの突然の破損に至る可能性がある。
【００２０】
したがってストランドの直接監視が、より適切であると思われる。しかしながら駆動プーリの周りを走行中のベルトに発生する曲げ伸びが比較的小さいことは、このような直接監視にとって問題である。後者は、エレベータ設備における典型的な用途に関して、例えば同じ用途に適する丸い断面を有する、対応する支持ケーブルの厚さと比較して、ベルト厚さに関して比較的小さな値が選択されるということに起因する。純粋に形状的理由によって、ベルト内に伸びるストランドは、駆動プーリの周りを走行するときの荷重下で、同じ荷重を有する対応して構成されたケーブル内のストランドより実質的に少ない程度の曲げ伸びを受ける。ストランドから形成されたケーブルと比較して、ストランドによって強化されたベルトの更なる特徴は、ベルトまたはケーブルの内部構造からの結果として生じる。ベルト内のストランドは、ベルトケーシング内で互いに隔離されて伸びており、したがって互いに接触しないが、これに対してケーブル内のストランドは、通常、複数の隣接するストランドが互いに接触するような仕方で撚り合わされている。ケーブルの荷重下で、特に隣接ストランドの接触点でジャム（故障）が発生することがあり、これは、接触点におけるストランドの特に高い曲げ伸びに繋がる。ジャムの対応する事例は、ベルトの対応する荷重下で、ベルト内に互いに隔離して配置されたストランドに関しては発生しない。ケーブルに関して特徴的な条件と比較して、ベルトの監視は、適当に敏感で正確でなくてはならない。ベルトの監視のための解決方法は、以前から知られていない。
【００２１】
エレベータ設備での使用のための本発明によるベルト１３は、図２Ａから図２Ｃに示されている。ベルト１３は、互いに撚り合わされ、長手方向の力を受容するように構成された合成繊維糸を有する、少なくとも二つのストランド１２を含んでいる。ストランド１２は、互いに平行に伸び、かつ互いに間隔Ｘを置いて配置されている。ストランド１２は、共通のベルトケーシング１５内に埋め込まれている。ストランド１２のうちの少なくとも一つは、導電性インジケータ糸１４を含んでおり、この導電性インジケータ糸１４は、ストランド１２の合成繊維糸と共に撚り合わされ、かつ例えばカーボン、炭化タングステンといった硬い金属、ホウ素、または導電性プラスチックなどの導電性材料の繊維（フィラメント）を含む。インジケータ糸１４は、図２Ｃに見られるように、ストランド１２の中心から外側に配置される。インジケータ糸１４が、ストランド１２の合成繊維糸より早く破断するか、ストランド１２の合成繊維糸より早く疲労現象を示すことが保証され得るように、インジケータ糸１４の破断伸び（εｕｌｔ，Ｉｎｄ）は、ストランド１２の個別の合成繊維糸の破断伸び（εｕｌｔ，Ｔｒａｇ）より小さくなければならない。破断伸びεｕｌｔ，Ｉｎｄと破断伸びεｕｌｔ，Ｔｒａｇは、材料的な量である。更にインジケータ糸１４は、インジケータ糸１４の完全性の電気的監視を可能にするために、電気的に接触可能でなければならない。
【００２２】
更にベルト１３の信頼できる監視を可能にするために観測されなくてはならない条件が存在する。
【００２３】
ストランド２１内のインジケータ糸２４の位置は、インジケータ糸２４のフィラメントが、ストランド２１の合成繊維糸より早く、疲労または破断するように選択されることが重要である。極端な場合には、インジケータ糸２４は、ストランド２１の外周に存在し、特に図３Ａにハッチングで示すように、ちょうど最大曲げ荷重に曝されるベルト２３の側面に存在する。このようにしてインジケータ糸２４は、常に、少なくともストランド２１の合成繊維糸の最大曲げ荷重とちょうど同じくらいの大きさの曲げ荷重を受けることが保証される。合成繊維糸は、白い円周を有する円として図３Ａに模式的に示されている。図３Ａによる構成の場合には、インジケータ糸２４の破断伸びεｕｌｔ，Ｉｎｄが、ストランド２１の個別の合成繊維糸の破断伸びεｕｌｔ，Ｔｒａｇより小さいように予め決定すれば十分である。ストランド２１は、ベルトケーシング２５内に埋め込まれる。
【００２４】
図３Ｂには、本発明による更なるベルト３３が示されている。そこではインジケータ糸３４は、図３Ｂにハッチングで示すように、最大曲げ荷重に曝されるベルト３３の側面の方向に存在する、ストランド中心から見た側のストランド３１の内部に存在する。このような構成では、５本のハッチングされた合成繊維ストランドは、インジケータ糸２４が受ける曲げ荷重より大きいか同じである曲げ荷重を受ける。ストランド３１は、ベルトケーシング３５内に埋め込まれる。このような構成の場合に、ストランド３１の合成繊維糸の一つが疲労するか破断する前に、インジケータ糸３４が疲労現象を示すか破断することが保証されるように、下記の条件が満たされるべきである。すなわち、インジケータ糸３４の破断伸びεｕｌｔ，Ｉｎｄは、ストランド３１の個別の合成繊維糸の破断伸びεｕｌｔ，Ｔｒａｇより係数Ａだけ小さくなくてはならない。ただし係数Ａは、特に、ストランド３１内のインジケータ糸３４の位置に応じる。下記の条件は、典型的にはＡに関して、０．２＜Ａ＜０．９、好ましくは０．３＜Ａ＜０．８５が適用される。
【００２５】
しかしながらこのような構成は、インジケータ糸が、常に「上面」（９時と１５時との間の位置）に向けられ、かつベルトの長手方向に直線的に平行に伸びるように、ベルトケーシング内にストランドが埋め込まれることが保証されなければならないので、製造上コスト高になる。しかしながら試験は、特にストランドの個別合成繊維糸は、所望の長手方向の荷重保持容量をベルトに与えるために撚り合わされるので、これが妥当なコストでは実現できないことを示している。
【００２６】
本発明によれば、ベルトの信頼できる監視を可能にするために達成されなくてはならない下記の条件が定式化できる。
【００２７】
１．インジケータ糸の材料とストランドの合成繊維糸の材料は、インジケータ糸の破断伸びεｕｌｔ，Ｉｎｄが、ストランドの個別合成繊維糸の破断伸びεｕｌｔ，Ｔｒａｇより小さくなるように、選択されなくてはならない。
【００２８】
２．製造技術に関連した理由から、インジケータ糸は、ストランドの合成繊維糸と共に撚り合わされなくてはならず、したがって、インジケータ糸は、周囲の合成繊維糸と親密な関係を形成し、かつ周囲の合成繊維ストランドの曲げ荷重に匹敵する曲げ荷重を絶えず受ける。こうしてインジケータ糸は、ベルトの長手方向に沿って螺旋状に伸びる。もしインジケータ糸が、繊維束の外周に存在しなければ、下記の追加条件が適用される。
【００２９】
３．インジケータ糸がストランドのより内部に存在するほど、インジケータ糸の破断伸びεｕｌｔ，Ｉｎｄはより小さくなければならない。
【００３０】
考慮とシミュレーションとの最適化は、ベルトまたは糸の破断伸びの考慮によって、信頼できる監視を保証できるために、好ましくは下記の条件、
【数１】
2006508004.tif 000003
が満たされるべきであることを示している。
【００３１】
ここではインジケータ糸の半径ＲＩｎｄ（図２Ｃで定義されるストランドの中心点から測定される）における伸びに関して、
【数２】
2006508004.tif 000004
が適用される。
【００３２】
ここでは最大合成繊維糸の半径ＲＴｒａｇ（図２Ｃで定義されるストランドの中心点から測定される）における伸びに関して、
【数３】
2006508004.tif 000005
が適用される。
【００３３】
ここでは、以下の様である。
εｕｌｔ，Ｉｎｄ：インジケータ糸の、またはインジケータ糸の繊維の破断伸び
εｕｌｔ，Ｔｒａｇ：合成繊維糸の、または合成繊維の破断伸び
Ｄ：駆動プーリ直径
ｄ：ベルト厚さ（ストランドがベルト厚さの半分の位置に存在する場合）
ＲＩｎｄ：ストランドの中心点から測定されたインジケータ糸の径方向の間隔（図２Ｃ参照）
ＲＴｒａｇ：ストランドの中心点から測定された最も外の合成繊維糸の径方向の間隔（図２Ｃ参照）
【００３４】
上記の不等式によれば、インジケータ糸に関する破断伸びεｕｌｔ，Ｉｎｄは、ベルトの荷重の場合のインジケータ糸のフィラメントが、対応するストランドのインジケータ糸を取り囲む合成繊維糸より早く破断するように、ストランドの内部のインジケータ糸の位置（ＲＩｎｄによって特徴付けられる）に応じて、どのように選択されなければならないかが決定され得る。不等式内の係数０．８８は、インジケータ糸の作用が、合成繊維糸の破断作用に関する結論を十分な確かさを以って可能にするように決定される、経験値である。しかしながら上記の不等式は、インジケータ糸が、ストランドの中心に配置されないときにだけ妥当性を持ち、その結果としてインジケータ糸の破断作用に関しては曲げ伸びの影響が支配的になる。もしインジケータ糸が、ストランドの中心に、またはストランドの中心付近に配置されれば、インジケータ糸の破断作用は、引っ張り荷重によって決定されるよりベルトの曲げ伸びによって決定される程度が小さくなる。引っ張り荷重の場合、ベルトの荷重の際のインジケータ糸に関しては、引っ張りだけによって荷重される真っ直ぐなベルト内の、または引っ張りだけによって荷重される真っ直ぐなケーブル内の糸の荷重に対応する条件が存在する。この境界事例では、インジケータ糸の十分な感度は、不等式、
【数４】
2006508004.tif 000006
が満たされるときに与えられる。境界値０．８８は、合成繊維糸の損傷に対して信頼できる結論を可能にするように経験的に決定される。
【００３５】
本発明によれば、例えばアラミドの合成繊維糸が使用可能である。アラミドは、高い逆曲げ疲労強度と高い比破断伸びεｕｌｔ，Ｔｒａｇを有している。ベルトのストランドは、相反する回転方向を有することができる。
【００３６】
例えば炭素繊維は、アラミドより脆弱（すなわち小さな破断伸びεｕｌｔ，Ｉｎｄ）であって、また導電性があり、更に経済的に製造可能であるので、インジケータ糸用のフィラメントとして特に適していることが分かっている。
【００３７】
ベルトケーシングは、合成材料を含む。下記の合成材料、すなわちゴム、ネオプレンゴム、ポリウレタン、ポリオレフィン、ポリ塩化ビニル、またはポリアミドは、ベルトケーシングとして特に適している。本発明によればベルトケーシングは、ダンベル形、円筒形、楕円形、凹面形、矩形、または楔形の断面形状を有することができる。
【００３８】
図４には、本発明の更なる形式の実施形態が、模式的断面として示されている。ベルト４３は、全部で４本の平行に伸びるストランド４１を含む。各ストランド４１は、数本の合成繊維糸とそれぞれのインジケータ糸４４とを含んでおり、これらは互いに撚り合わされている。インジケータ糸４４は、ベルト４３の長手方向に沿って各ストランド４１内で螺旋状に伸びている。図示の例では、左から右へ考慮されたインジケータ糸４４は、ほぼ１２時と１時と９時と４時の位置に存在する。もし同じベルト４３が異なる位置で切断されたとすれば、インジケータ糸４４の位置に関する図は、異なる結果となるであろう。
【００３９】
本発明は、補強用の合成繊維ストランドを有する全てのベルトで使用可能である。例は、平ベルト、ポリＶベルト、Ｖリブドベルト５３（例えば図５に示すような）、または（台形）コグドベルト６３（例えば図６に示すような）である。
【００４０】
図５に示す本発明によるＶリブドベルト５３は、ベルトケーシング５５内に埋め込まれた整数本の平行に伸びるストランド５１を有している。
【００４１】
図６に示す本発明による台形コグドベルト６３は、ベルトケーシング６５内に埋め込まれた整数本の平行に伸びるストランド６１を有している。
【００４２】
本発明によれば、合成繊維ストランドは、数本のインジケータ糸を有することができる。更なる形式の実施形態では、ベルトは数本の平行なストランドを有する。第１のストランドは、第１の破断伸びεｕｌｔ，Ｉｎｄ１を有する第１のインジケータ糸を含む。第２のストランドは、第２の破断伸びεｕｌｔ，Ｉｎｄ２を有する第２のインジケータ糸を含む。もし次の条件εｕｌｔ，Ｉｎｄ２＞εｕｌｔ，Ｉｎｄ１が当てはまれば、第１の炭素繊維はより敏感なので、この第１の炭素繊維が最初に応答する。エレベータ設備によっては、この場合、予め決められた反応が初期設定され得る。例えばサービスコールが配置でき、エレベータ運転が制限できる。もし第２の炭素繊維が障害になれば、例えばエレベータ運転は完全に停止され得る。
【００４３】
更に数本のストランドは、各々、同じ破断伸びεｕｌｔ，Ｉｎｄを有するインジケータ糸を含むことができ、故障したストランドの数の増加は、適当な反応のためのトリガ基準として機能する。
【００４４】
本発明によれば、炭素繊維の特性が変化したかどうか、あるいは炭素繊維が中断されたかどうかの測定によって、確認するインジケータ回路が使用可能である。この場合例えば、２本の繊維束の炭素繊維は、ベルトの一端で互いに導電的に接続できる。ベルトの他端で例えば、変化を認識可能にするために抵抗測定が行われ得る。インジケータ回路は、一つ以上のコンパレータと、一つ以上のアナログ・ディジタル変換器とを含むことができ、例えば通常ディジタル構成になっているエレベータ制御への接続を生成する。
【００４５】
本発明は、ベルトに荷重保持強度を与える繊維束の疲労と破断との、信頼できる適時の認識を初めて可能にする。この種のベルトは、適時に交換できる。
【図面の簡単な説明】
【００４６】
【図１】本発明による支持ベルトを介して釣合い重りに連結されたケージを有するエレベータ設備の模式図である。
【図２Ａ】本発明による支持ベルトの一区間を有する駆動プーリの側面図である。
【図２Ｂ】本発明による支持ベルトの断面図である。
【図２Ｃ】本発明による支持ベルトの断面の拡大詳細図である。
【図３Ａ】本発明による更なる支持ベルトの断面の拡大詳細図である。
【図３Ｂ】本発明による更なる支持ベルトの断面の拡大詳細図である。
【図４】本発明による更なる支持ベルトの断面の拡大詳細図である。
【図５】本発明によるＶリブドベルトの断面図である。
【図６】本発明によるコグドベルトの斜視図である。
【図１】
2006508004.tif 000007
【図２Ａ】
2006508004.tif 000008
【図２Ｂ】
2006508004.tif 000009
【図２Ｃ】
2006508004.tif 000010
【図３Ａ】
2006508004.tif 000011
【図３Ｂ】
2006508004.tif 000012
【図４】
2006508004.tif 000013
【図５】
2006508004.tif 000014
【図６】
2006508004.tif 000015
【手続補正書】
【提出日】平成16年11月15日(2004.11.15)
【手続補正１】
【補正対象書類名】特許請求の範囲
【補正対象項目名】全文
【補正方法】変更
【補正の内容】
【特許請求の範囲】
【請求項１】
少なくとも二つのストランド（１２、２１、３１、４１、５１、６１）を有するベルト（３、１３、２３、３３、４３、５３、６３）であって、前記少なくとも二つのストランドが、互いに撚り合わされた合成繊維糸を含んでおり、かつ長手方向（１６）の力の受容のために構成され、ストランド（１２、２１、３１、４１、５１、６１）が、ベルト（３、１３、２３、３３、４３、５３、６３）の長手方向（６６）に沿って互いに平行に、互いに間隔（Ｘ）を置いて配置され、ベルトケーシング（１５、２５、３５、４５、５５、６５）内に埋め込まれており、ストランド（１２、２１、３１、４１、５１、６１）のうちの少なくとも一つが、ストランド（１２、２１、３１、４１、５１、６１）の合成繊維糸と共に撚り合わされた導電性インジケータ糸（１４、２４、３４、４４）を含んでおり、インジケータ糸（１４、２４、３４、４４）が、
ストランド（１２、２１、３１、４１、５１、６１）の個別の合成繊維糸の破断伸び（εｕｌｔ，Ｔｒａｇ）より小さい破断伸び（εｕｌｔ，Ｉｎｄ）を有しており、
インジケータ糸（１４、２４、３４、４４）の完全性の電気的監視を可能にするように電気的に接触させられ得ることを特徴とする、ベルト（３、１３、２３、３３、４３、５３、６３）。
【請求項２】
インジケータ糸（１４、２４、３４、４４）が、ストランド（１２、２１、３１、４１、５１、６１）の合成繊維糸よりも脆弱であって、ストランド（１２、２１、３１、４１、５１、６１）の合成繊維糸よりも弾力性に乏しいことを特徴とする、請求項１に記載のベルト（３、１３、２３、３３、４３、５３、６３）。
【請求項３】
荷重下でのインジケータ糸（１４、２４、３４、４４）の最大有効伸びが、ストランド（１２、２１、３１、４１、５１、６１）の個別の合成繊維糸の破断伸び（εｕｌｔ，Ｔｒａｇ）より小さいことを特徴とする、請求項１または２に記載のベルト（３、１３、２３、３３、４３、５３、６３）。
【請求項４】
ベルト（３、１３、２３、３３、４３、５３、６３）が、１００ｍｍより小さい、好ましくは５０ｍｍより小さい半径を有するプーリ（１１）の周りを少なくとも部分的に走行する目的のために構成されていることを特徴とする、請求項１または２に記載のベルト（３、１３、２３、３３、４３、５３、６３）。
【請求項５】
インジケータ糸（１４、２４、３４、４４）が、ベルトの一端または両端に固定され得る接触手段によって電気的に接触させられ得ることを特徴とする、請求項１、２、または３に記載のベルト（３、１３、２３、３３、４３、５３、６３）。
【請求項６】
ベルト（３、１３、２３、３３、４３、５３、６３）が、平ベルト、ポリＶベルト、Ｖリブドベルト、または（台形）コグドベルトであることを特徴とする、請求項１から５のいずれか一項に記載のベルト（３、１３、２３、３３、４３、５３、６３）。
【請求項７】
ベルト（３、１３、２３、３３、４３、５３、６３）が、支持手段または駆動手段としてエレベータ設備内での使用のために構成されていることを特徴とする、請求項１から６のいずれか一項に記載のベルト（３、１３、２３、３３、４３、５３、６３）。
【請求項８】
インジケータ糸（１４、２４、３４、４４）が、ストランド（１２、２１、３１、４１、５１、６１）の中心から外側に配置されることを特徴とする、請求項１から７のいずれか一項に記載のベルト（３、１３、２３、３３、４３、５３、６３）。
【国際調査報告】
2006508004.tif 000016
2006508004.tif 000017
2006508004.tif 000018
2006508004.tif 000019